(57)【特許請求の範囲】
【請求項１】
画像を書き換え可能且つ無電源保持する表示部と、無線により保持データを読み書き可能な無線アクセスメモリと、を備えた電子ペーパに対して、画像及び保持データに係るアクセス処理を行うアクセス装置において、
前記電子ペーパの無線アクセスメモリの保持データを無線により読み取り又は書き込みする無線手段と、
前記電子ペーパの表示部に画像を転写して書き込む画像書込手段と、
前記電子ペーパの無線アクセスメモリからの保持データの読み取りを行う読取モードと、当該無線アクセスメモリへの保持データの書き込み及び前記表示部への画像の転写を行う書込モードとを切り換えるモード切換手段と、
前記読取モードと書込モード毎に、前記電子ペーパを装着すべき態様が規定された当該アクセス装置の筐体と、
前記筐体へ装着された電子ペーパの態様を検出する検出手段と、を備え、
前記モード切換手段は、前記検出された態様に応じて前記読取モードと書込モードとを切り換えることを特徴とするアクセス装置。
【請求項２】
請求項１に記載のアクセス装置において、
前記モード切換手段は、前記読取モードと書込モードとを並行させて処理する並行モードを有し、
当該並行モードでは、前記読取モードの態様で装着された電子ペーパからの保持データの読み取りを行わせるとともに、前記書込モードの態様で装着された他の電子ペーパへの保持データの書き込み及び画像の転写とを行わせることを特徴とするアクセス装置。
【請求項３】
請求項１又は請求項２に記載のアクセス装置において、
前記無線手段は、前記読取モードの態様で装着された複数枚の電子ペーパからそれぞれ保持データを無線により読み取ることを特徴とするアクセス装置。
【請求項４】
画像を書き換え可能且つ無電源保持し、無線により保持データを読み書き可能に記録保持する電子ペーパに対して、画像及び保持データに係るアクセス処理を行うアクセス装置を備えた電子ペーパアクセスシステムにおいて、
前記電子ペーパは、
画像を書き換え可能且つ無電源保持する表示部と、
無線により保持データを読み取り又は書き込みする無線アクセスメモリと、を備え、
前記アクセス装置は、
前記電子ペーパの無線アクセスメモリの保持データを無線により読み取り又は書き込みする無線手段と、
前記電子ペーパの表示部に画像を転写して書き込む画像書込手段と、
前記電子ペーパの無線アクセスメモリからの無線による保持データの読み取りを行う読取モードと、当該無線アクセスメモリへの無線による保持データの書き込み及び前記電子ペーパの表示部への画像の転写を行う書込モードとを切り換えるモード切換手段と、
前記読取モードと書込モード毎に、前記電子ペーパを装着すべき態様が規定された当該アクセス装置の筐体と、
前記筐体へ装着された電子ペーパの態様を検出する検出手段と、を備え、
前記モード切換手段は、前記検出された態様に応じて前記読取モードと書込モードとを切り換えることを特徴とする電子ペーパアクセスシステム。
【請求項５】
請求項４に記載の電子ペーパアクセスシステムにおいて、
前記電子ペーパアクセスシステムは、前記アクセス装置と接続する情報処理装置を備えており、
前記アクセス装置は、前記情報処理装置との通信を行う通信手段を更に備え、
前記情報処理装置は、前記アクセス装置との通信を行う通信手段と、
前記アクセス装置に装着される前記電子ペーパの保持データに応じた画像を作成して前記アクセス装置へ送信して前記電子ペーパへ書き込ませる画像作成手段と、
を備えたことを特徴とする電子ペーパアクセスシステム
【請求項６】
画像を書き換え可能且つ無電源保持する表示部と、無線により保持データを読み書き可能な無線アクセスメモリと、を備えた電子ペーパに対して、画像及び保持データに係るアクセス処理を行うアクセス装置を、コンピュータに実行させることにより構成するプログラムにおいて、
前記アクセス装置の筐体は、前記電子ペーパの無線アクセスメモリからの保持データの読み取りを行う読取モードと、当該無線アクセスメモリへの保持データの書き込み及び前記表示部への画像の転写を行う書込モード毎に電子ペーパを装着すべき態様を規定しており、
前記電子ペーパの無線アクセスメモリの保持データを無線により読み取り又は書き込みする無線機能と、
前記電子ペーパの表示部に画像を転写して書き込む画像書込機能と、
前記筐体へ装着された電子ペーパの態様を検出する検出機能と、
検出した態様に応じて前記読取モードと書込モードとを切り換えるモード切換機能と、
をコンピュータに実行させることにより構成することを特徴とする電子ペーパアクセスプログラム。
【請求項７】
請求項６に記載のプログラムにおいて、
前記モード切換機能は、前記読取モードと書込モードとを並行させて処理する並行モードを有し、
当該並行モードでは、前記読取モードの態様で装着された電子ペーパからの保持データの読み取りを行わせるとともに、前記書込モードの態様で装着された他の電子ペーパへの保持データの書き込み及び画像の転写とを行わせることを特徴とする電子ペーパアクセスプログラム。
【発明の詳細な説明】
【技術分野】
【０００１】
本発明は、表示部に画像を書き換え可能且つ無電源保持するとともに、メモリに無線により保持データを読み書き可能に保持する表示記録媒体に対して、画像及び保持データに係るアクセス処理を行う技術に関し、特に、保持データのみにアクセスする場合は、画像及び保持データの両方にアクセスする場合とは異なる態様で表示記録媒体を装着する技術に関する。
【背景技術】
【０００２】
コンピュータを利用して、画像やテキスト等の様々なメディアの電子データを扱って、ドキュメントの作成、編集、閲覧等がなされている。
このような電子データドキュメントの閲覧方法は、一般的に、コンピュータのディスプレイ画面にドキュメントの画像を表示する、或いは、プリンタによりドキュメントの画像を紙媒体である用紙に印刷することにより行われている。
【０００３】
近年では、用紙にとって代わることが可能な画像閲覧のための媒体として、用紙の如く柔軟な薄型で画像を無電源状態で表示保持することができ、しかも、画像を書き換えて繰り返し使用することができる電子ペーパと称せられる表示媒体が開発されている。
電子ペーパは、無電源状態で画像を表示保持する表示部を有した表示媒体であり、その表示部への画像情報の書き込み方法として、電子データに基づいて投影された画像情報を表示部に保持させる方法が知られている。
【０００４】
電子ペーパは用紙とは異なって表示部に表示保持した画像を書き換えることが可能なため、例えば、無線により保持データを読み書き自在な無線アクセスメモリを有するカードと組み合わせて、表示部と無線アクセスメモリとを有するカード型電子ペーパとして構成し、メモリの記録内容を示す画像に表示部を書き換えることでメモリの読取装置を介さずともその記録内容を把握可能なカードとして用いることができる。
【０００５】
このようなカード型電子ペーパは、表示部への画像の書き込み機能と無線アクセスメモリへのデータアクセス機能とを備えたアクセス装置により、画像及び保持データへのアクセス処理を行うことができる。すなわち、アクセス装置は無線アクセスメモリへデータを書き込むとともに、書き込み内容に応じた画像を表示部へ表示させることで、表示部の表示内容と無線アクセスメモリの保持内容とを対応付けている。
【０００６】
アクセス装置は、表示部に対して画像情報を投影して表示画像を書き換えるので、画像の書き換えには表示部を画像情報の投影先に配置させなければならないため、例えば、アクセス装置にカード挿入スリットを設けてカード型電子ペーパを挿入させることで、適切な位置への表示部の配置を行っている。
【発明の開示】
【発明が解決しようとする課題】
【０００７】
上記のようなアクセス装置によると、例えば、カード型電子ペーパをプリペイドカードとして用いて、複数のカードのメモリに記録された利用状況を読み取ってコンピュータで集計させる場合のように、メモリの記録内容の読み取りのみを行いたい場合にも、カード挿入スリットにそれぞれのカードを挿入しなければならないため、非効率的であるという課題があった。
【０００８】
本発明は、上記課題に鑑みなされたものであり、表示部と無線アクセスメモリとを有するカード型電子ペーパに対するアクセス装置において、簡単な操作で無線アクセスメモリからの読み取りを行うことが可能なアクセス装置を提供することを目的としている。
【課題を解決するための手段】
【０００９】
本発明は、画像を書き換え可能且つ無電源保持する表示部と、無線により保持データを読み書き可能な無線アクセスメモリと、を備えた電子ペーパに対する、画像及び保持データに係るアクセス処理を行うアクセス装置、当該アクセス装置を備えたシステム、当該アクセス装置により実施される方法、当該アクセス装置を構成するためにコンピュータが実行するプログラムといった種々な態様で実施される。
【００１０】
本発明は、画像の書き込みは画像情報の投影先に電子ペーパを配置させる必要があるのに対して、保持データに対する読み書きは無線通信できる範囲に電子ペーパを翳すことで可能なため、保持データのみにアクセス処理する場合に電子ペーパをアクセス装置に装着する位置・装着の仕方といった態様を、画像及び保持データの両方にアクセス処理する場合に装着すべき態様とは異なる態様としている。
すなわち、保持データの読み取りを行う場合には、無線通信できる範囲に電子ペーパを装着させるようにしたため、画像書き込みのために規定された態様で電子ペーパを装着させることを要せず、簡単に保持データの読み取りを行える。
【００１１】
具体的には、本発明のアクセス装置は、電子ペーパの無線アクセスメモリの保持データを無線により読み取り又は書き込みする無線手段と、電子ペーパの表示部に画像を転写して書き込む画像書込手段と、装着された電子ペーパに対する無線手段との無線電波を透過させる透過部が設けられた当該アクセス装置の筐体と、を備えている。
【００１２】
また、具体的には、本発明のアクセス装置は、電子ペーパの無線アクセスメモリの保持データを無線により読み取り又は書き込みする無線手段と、電子ペーパの表示部に画像を転写して書き込む画像書込手段と、電子ペーパの無線アクセスメモリからの保持データの読み取りを行う読取モードと、当該無線アクセスメモリへの保持データの書き込み及び表示部への画像の転写を行う書込モードとを切り換えるモード切換手段と、読取モードと書込モード毎に、電子ペーパを装着すべき態様が規定された当該アクセス装置の筐体と、を備えている。
【００１３】
ここで、筐体へ装着された電子ペーパの態様を検出する検出手段を更に備えて、モード切換手段は、検出された態様に応じてモード切り換えを行うようにしてもよい。
これにより、例えば、電子ペーパの装着前にユーザにモード指定を行わせることなく、電子ペーパの装着された態様に応じて自動的にモードが判別されるため、ユーザの操作負担が軽減する。
【００１４】
本発明のアクセス装置は、スキャナ機能、複写機能、ＦＡＸ機能等を複合的に備えた複合機やパーソナルコンピュータ等の情報処理装置に接続させて用いることができ、これら情報処理装置により電子ペーパの保持データに応じた画像を作成させて、電子ペーパの表示部への書込みに用いてもよく、複雑な機能は情報処理装置に処理させることでアクセス装置を簡単な構成とすることができる。
【００１５】
また、モード切換手段に読取モードと書込モードとを並行させて処理する並行モードを更に設けて、並行モードでは、読取モードの態様で装着された電子ペーパからの保持データの読み取りを行わせるとともに、書込モードの態様で装着された他の電子ペーパへの保持データの書き込み及び画像の転写とを行わせてもよい。
また、読取モードの態様で装着された複数枚の電子ペーパからそれぞれ保持データを無線により読み取るようにしてもよい。
【発明の効果】
【００１６】
本発明によると、電子ペーパをアクセス装置に装着する態様を、保持データのみにアクセス処理する場合と、画像及び保持データの両方にアクセス処理する場合とで変えたので、簡単な操作で保持データへのアクセス処理を行えるようになるため、ユーザの操作負担を軽減させることができる。
【発明を実施するための最良の形態】
【００１７】
本発明を実施例に基づいて具体的に説明する。
まず、本発明に利用される転写書き込み型の電子ペーパ（表示記録媒体）の一つである光書き込み型電子ペーパについて図１１〜図１３を参照して説明する。
図１１に示してあるとおり、光書き込み型電子ペーパＥＰは、画像を無電源状態で表示保持する表示部１２とドキュメントデータのＵＲＬ等といった電子データの処理を司る処理部１３とを有している。
【００１８】
光書き込み型電子ペーパＥＰは、例えば、ＪＩＳ規格で規定されるカードやＡ４版の用紙のような大きさのフレキシブルな薄型であり、大部分の面積を占める表示部１２の一片に処理部１３が設けられている。なお、表示部１２の大きさは任意なので用途に応じた大きさとすることができ、後述する実施例のシステムでは、光書き込み型電子ペーパＥＰをＪＩＳ規格のカードサイズとして構成している。
【００１９】
処理部１３には、後述するように表示部１２を駆動する電圧を印加するための書き込み用電極１４、外部と無線通信するための無線部、電子データを読み書き自在に保持するメモリ、メモリへのアクセス等の処理を行うプロセッサ、プロセッサや無線部等の駆動電力を供給するバッテリが設けられている。
光書き込み型電子ペーパＥＰは、外部の無線装置（後述する例では、アクセス装置）と無線部で無線通信することにより電子データを送受信し、また、これら電子データをメモリに保持することができる。
なお、上記のように比較的高級なデータ処理機能を有する処理部１３に代えて、データを無線通信する機能とデータを記憶する機能とを比較的簡単な構成で備えた公知のＲＦＩＤを処理部１３として用いるようにしてもよい。
【００２０】
光書き込み型電子ペーパＥＰは、例えば、図１１に示すように液晶パネル３９に書き込もうとする画像を表示し、電極１４に外部電源から電圧を印加しながら光書き込み型電子ペーパＥＰを液晶パネル３９に重ねて光を照射することにより、液晶パネル３９に表示させた画像を表示部１２に転写して表示保持させることができる。要は、光書き込み型電子ペーパＥＰは電極１４に電圧を印加することで投影されたドキュメント画像を表示部１２に転写し、電極１４に印加した電圧を除去した後も当該ドキュメント画像を表示状態で保持し続ける機能を有している。
なお、このような光書き込み型電子ペーパＥＰを用いる場合には、後述するアクセス装置は、電極１４への電圧印加部、液晶パネル、光照射部といった光書き込みに必要な手段を備えている。
【００２１】
光書き込み型電子ペーパＥＰは、表示部１２の断面構造を表す図１３に示すように、複写機に利用されている有機光導電性材料の層（有機光導電層）３０と液晶表示材料の層（マイクロカプセル化したコレステリック液晶層）３１とを組み合わせ、これら層を表裏一対の透明電極３２で挟み、この積層体を表裏一対の透明な基材フィルム３３で挟んだ構造となっている。なお、この構成では、コレステリック液晶層３１が光を反射する白表示と、光が液晶層３１を透過しコレステリック液晶層３１と有機光導電層３０との間に設けられた黒色層３４で吸収される黒表示のモノクロ画像表示が可能である。さらにコレステリック液晶には螺旋ピッチに応じたカラー光を干渉反射するという特性があるので、コレステリック液晶層３１を螺旋ピッチの異なる液晶を積層した構成にすることにより、簡単な構造でカラー表示を実現することも可能である。
【００２２】
そして、光書き込み型電子ペーパＥＰは、表示部１２の動作原理を表す図１２に示すように、例えば画像書込み用の調光素子パネル（発光パネル）３９に転写する画像を表示して表示部１２に投影し、電極１４に電圧を印加すると、光の強弱を瞬時に反射濃度に変換して当該投影画像を保持する。そして、電極１４に消去電圧を印加することにより表示部１２に保持された画像情報を消去することができ、光書き込み型電子ペーパＥＰは書き込みと消去を繰り返して幾度も再使用することができる。なお、光書き込み型電子ペーパＥＰはこのような消去処理を行わずに、上記のように電極１４に電圧を印加して新たな画像を投影することにより、表示部１２に保持されている画像を上書きすることもでき、このような上書き処理によっても幾度も再使用することができる。
【００２３】
また、転写書き込み型電子ペーパの他の例として、表示部１２を公知のように熱転写構造として、電子ペーパプリンタに備えられた熱転写部によって画像を表示部１２に熱転写して表示保持させるものもある。
【００２４】
図１は、上記のような転写書き込み型の電子ペーパＥＰを用いて構成した、本発明の一例に係る情報処理システムの全体構成例が示してある。
本例のシステムは、ドキュメント管理サーバ５と情報処理装置３とをネットワークＮで接続し、各情報処理装置３にアクセス装置２を付設した構成を有している。
ドキュメント管理サーバ５はドキュメントデータをそれぞれＵＲＬで識別して格納するドキュメントデータベースを有しており、情報処理装置３から受信したドキュメントデータの格納管理や、情報処理装置３へ要求されたドキュメントデータの送信を行う。
【００２５】
本例のシステムでは、ドキュメント管理サーバ５の格納管理するドキュメントデータの格納先のＵＲＬを電子ペーパＥＰに保持データとして記録させており、ドキュメントデータを電子ペーパＥＰに対応付けて管理している。また、対応付けられたドキュメントデータの縮小画像を電子ペーパＥＰに表示保持させており、電子ペーパＥＰの目視により対応ドキュメントの内容を把握できるようにしている。
【００２６】
情報処理装置３として図示の例では、スキャナ機能、複写機能、ＦＡＸ機能等を複合的に備えた複合機（ＭＦ）と、パーソナルコンピュータ（ＰＣ）を用いており、後述するようにユーザに対するドキュメントの入出力、電子ペーパＥＰとドキュメントデータとの関連付け、電子ペーパＥＰへの書き込み画像の作成等の情報処理を行う。本例ではアクセス装置２を情報処理装置３に付設した構成としているが、アクセス装置２と情報処理装置３とを一体化した装置構成としてもよい。
【００２７】
本例のアクセス装置２は、電子ペーパＥＰに対して保持データ及び表示画像へのアクセス処理を行う装置であり、電子ペーパＥＰの保持データの読み取りを行う読取モードと、保持データの書き込み及び表示画像の転写書き込みを行う書込モードとを備えており、読取モードと書込モード毎に電子ペーパＥＰを装着すべき態様が規定された筐体に収容されて、後述するように電子ペーパＥＰの装着態様に応じて読取モードと書込モードとを切り換えて処理を行う。
【００２８】
書込モードの態様で電子ペーパＥＰがアクセス装置２に装着されると、アクセス装置２は電子ペーパＥＰへの書込みデータ（ＵＲＬ及び画像データ）が情報処理装置３から送信されるのを待機する。情報処理装置３は、紙文書のスキャン入力や対応付けドキュメントデータの指定入力といった入力処理がなされると、該当するドキュメントデータをドキュメント管理サーバ５に格納し、当該ドキュメントデータに基づいて縮小画像の画像データを作成し、格納先のＵＲＬ及び画像データをアクセス装置２に送信する。アクセス装置２はＵＲＬ及び画像データを受信すると、電子ペーパＥＰにＵＲＬを保持データとして書き込むとともに画像データに基づいて画像を転写書き込みする。
【００２９】
読取モードの態様で電子ペーパＥＰがアクセス装置２に装着されると、アクセス装置２は電子ペーパＥＰから保持データを読み込んでドキュメントデータのＵＲＬを取得して情報処理装置３に送信する。情報処理装置３は、当該ＵＲＬに該当するドキュメントデータをドキュメント管理サーバ５に要求し、返送されたドキュメントデータをプリント出力や画面表示出力といった出力処理を行う。
【００３０】
図２には、本例の電子ペーパＥＰ及びアクセス装置２の備える機能手段が示してある。
電子ペーパＥＰは、画像を書き換え可能且つ無電源保持する表示部１２、データ処理を司る処理部１３を有しており、処理部１３には、アクセス装置２との無線通信を行う無線部１５、保持データを読み書き可能に記録保持するメモリ１６が設けられている。
【００３１】
アクセス装置２は、電子ペーパＥＰと無線通信する無線部２１、電子ペーパＥＰの表示部１２に画像を転写して書き込む画像書込部２２、アクセス装置２が接続する情報処理装置３との通信インターフェース２３、読取モードと書込モードとを切り換えるモード切換部２４、電子ペーパＥＰの装着された態様を検出する検出部２５、読取モード及び書込モードのユーザによる指定を受け付ける指定入力部２６を備えている。
本例においては、アクセス装置２の本発明に係る機能手段はコンピュータが本発明に係るプログラムを実行することにより構成しているが、専用の回路機能として構成するようにしてもよい。
【００３２】
以下に、これら機能手段による処理を、図３〜図６に示した実施例を用いて説明する。
図３には、電子ペーパＥＰを平面視した例が示してあり、電子ペーパＥＰは、表示部１２と、無線部１５及びメモリ１６で構成される無線アクセスメモリ１７とを備えている。
図４には、アクセス装置２を平面視した例が示してあり、装置上面に読取モードでの電子ペーパＥＰの装着位置２７が規定されている。点線２８は、装着位置２７に電子ペーパＥＰを装着するときの無線アクセスメモリ１７に該当する部分を示しており、また、アクセス装置２の内部に点線２８に該当する位置に無線部２１が設置されている。すなわち、電子ペーパＥＰを装着位置２７に無線アクセスメモリ１７が点線２８に重なるように装着することにより、点線２８の位置にある無線アクセスメモリ１７の無線部１５とアクセス装置２の無線部２１とが無線通信できる。
【００３３】
図５及び図６には、アクセス装置２を断面視した例が示してあり、電子ペーパＥＰの挿入スロット４０、挿入された電子ペーパＥＰの書込モードとして規定された位置への移動及び書き込み処理を施した電子ペーパＥＰの排出を行う媒体搬送ロール４１、電子ペーパＥＰへ転写する画像を表示する液晶パネル４２、液晶パネル４２に光を照射する光照射部４５、電子ペーパＥＰと無線通信する無線用アンテナ４３（無線部２１）を備えている。なお、液晶パネル４２及び光照射部４５が図２に示した画像書込部２２を構成しており、電子ペーパＥＰの表示部１２への画像の転写書き込みを行う。
【００３４】
アクセス装置２は、無線電波を遮蔽する部材を用いた筐体に収められているが、無線用アンテナ４３の周辺部は電波を透過する部材４４で構成されており、無線用アンテナ４３は装置外部に読取モードとして装着される電子ペーパＥＰとの無線通信が可能となっている。また、装置外部に読取モードとして装着される電子ペーパＥＰとの無線通信と、後述するように装置内部に書込モードとして装着される電子ペーパＥＰとの無線通信とを、１つの無線用アンテナ４３で行えるように配置してある。
【００３５】
アクセス装置２は、通常は読取モードで電子ペーパＥＰの装着を待機しており、図６に示すように装置外部に規定された装着位置２７に電子ペーパＥＰが装着されると、無線用アンテナ４３（無線部２１）が電子ペーパＥＰのメモリ１６からＵＲＬを読み取って、通信インターフェース２３を介して情報処理装置３へ送信してＵＲＬに該当するドキュメントデータの出力処理を行わせる。
【００３６】
アクセス装置２は、挿入スロット４０に電子ペーパＥＰが挿入されたかを検出部２５により監視しており、電子ペーパＥＰの挿入を検出すると、図５に示すように媒体搬送ロール４１が電子ペーパＥＰを書込モードの位置に移動し、検出部２５がモード切換部２４に電子ペーパＥＰが書込モードの態様で装着されたことを通知する。
そして、モード切換部２４が読取モードから書込モードへ切り換えて、通信インターフェース２３を介して情報処理装置３から送信されるドキュメントデータが格納されたＵＲＬの電子ペーパＥＰのメモリ１６への書き込みを無線用アンテナ４３（無線部２１）が行い、併せて情報処理装置３から送信される画像データに基づく画像の表示部１２への書き込みを液晶パネル４２及び光照射部４５（画像書込部２２）が行う。
アクセス装置２は、電子ペーパＥＰへのＵＲＬ及び画像の書き込み処理が終了すると、媒体搬送ロール４１が電子ペーパＥＰを排出し、モード切換部２４が書込モードから読取モードへ戻して再び電子ペーパＥＰの装着を待機する。
【００３７】
このように、読取モードと書込モードとで電子ペーパＥＰを装着させる態様を変えているので、電子ペーパＥＰの保持データの読み取りのみを行う場合は、電子ペーパＥＰへの画像書き込み位置に電子ペーパＥＰを装着させることを要しないため、簡単な操作で電子ペーパＥＰの保持データへのアクセスが可能となる。
また、モード毎に電子ペーパＥＰを装着させる態様が異なるにも係わらず、１つの無線用アンテナ４３で無線通信できるため、アクセス装置２を低コストで構成できる。
【００３８】
なお、本例では、読取モードでは保持データの読み取りを行っているが、更に保持データの書き込みを行えるようにしてもよい。また、書込モードでは保持データの書き込み及び画像の書き込みを行っているが、更に保持データの読み取りを行えるようにしてもよい。
【００３９】
また、上記のようなモード切り換えは、挿入スロット４０に電子ペーパＥＰが挿入されたことを検出部２５が検出することで自動的に行われるが、電子ペーパＥＰの装着前にユーザに指定入力部２６を通じてモード指定させて、手動で切り換えることもできる。
【００４０】
また、アクセス装置２に、読取モードと書込モードとを並行させて処理する並行モードを更に備えてもよい。
例えば、指定入力部２６によりユーザに並行モードを指定させて、書込モードの態様で電子ペーパＥＰを装着すると、情報処理装置３からＵＲＬ及び画像データが送信されても電子ペーパＥＰへの書き込みを待機させる。そして、書き込みを実行させる制御コマンドを保持する制御用電子ペーパＥＰが読取モードの態様で装着されたことに応じて書き込みを行わせる。
このように、並行モードを備えることで、読取モード及び書込モードのそれぞれの態様で装着された電子ペーパＥＰを組み合わせて処理を行うことができる。
【００４１】
また、アクセス装置２に、読取モードの態様で複数枚の電子ペーパＥＰを装着させて、それぞれの保持データを無線により読み取って処理を行わせてもよい。
例えば、印刷させるドキュメントデータの格納ＵＲＬを保持する情報ソース用電子ペーパＥＰを読取モードの態様で装着しただけでは動作させずに、図１４に示すように、前記情報ソース用電子ペーパＥＰと印刷出力を実行させる制御コマンドを保持する制御用電子ペーパＥＰとを重ねて読取モードの態様で装着したことに応じて、該当するドキュメントデータの印刷出力を情報処理装置３に行わせる。
また、例えば、複数枚の情報ソース用電子ペーパＥＰと制御用電子ペーパＥＰとを用いて、複数ドキュメントを１回の操作で印刷させるようにしてもよい。
【００４２】
図７〜図１０には本発明に係る他の実施例が示されている。
図７及び図８によると、アクセス装置２には液晶パネル４２が装置内の上部に外側に面して配置され、無線用アンテナ４３が装置内の上中央部分に配置されている。
図９には上記アクセス装置２に対応して用いる電子ペーパＥＰの例が示してあり、無線アクセスメモリ１７が電子ペーパＥＰの左右から等距離の位置に配置されており、電子ペーパＥＰを水平に１８０度回転させても左右からの距離が変わらないようにしている。
【００４３】
図１０には、書込モード及び読取モードで規定された電子ペーパＥＰの装着態様を示している。
書込モードの場合には、同図（ａ）に示すように、アクセス装置２の無線用アンテナ４３と電子ペーパＥＰの無線アクセスメモリ１７とが面し、且つアクセス装置２の液晶パネル４２と電子ペーパＥＰの表示部１２とが面するように電子ペーパＥＰを装着する。
したがって、アクセス装置２は電子ペーパＥＰの表示部１２及び無線アクセスメモリ１７の両方にアクセスできるので、保持データ及び画像の書き込みを行うことができる。
【００４４】
読取モードの場合には、同図（ｂ）に示すように、アクセス装置２の無線用アンテナ４３と電子ペーパＥＰの無線アクセスメモリ１７のみが面し、アクセス装置２の液晶パネル４２と電子ペーパＥＰの表示部１２とは面しないように、すなわち書込モードの場合に対して電子ペーパＥＰを無線アクセスメモリ１７を中心として水平に１８０度回転させた態様で装着する。
したがって、アクセス装置２は電子ペーパＥＰの無線アクセスメモリ１７にアクセスできるので、保持データの読み取りを行うことができる。
【図面の簡単な説明】
【００４５】
【図１】本発明の一例に係る情報処理システムの全体構成を示す図である。
【図２】本発明の一例に係る電子ペーパ及びアクセス装置の機能構成を示す図である。
【図３】本発明の一例に係る電子ペーパを示す図である。
【図４】本発明の一例に係るアクセス装置の平面図である。
【図５】本発明の一例に係るアクセス装置の断面図である。
【図６】本発明の一例に係るアクセス装置の断面図である。
【図７】本発明の一例に係るアクセス装置の断面図である。
【図８】本発明の一例に係るアクセス装置の平面図である。
【図９】本発明の一例に係る電子ペーパの平面図である。
【図１０】本発明の一例に係るアクセス装置への電子ペーパの装着態様を説明する図である。
【図１１】光書き込み型電子ペーパの使用方法を説明する図である。
【図１２】光書き込み型電子ペーパの動作原理を説明する図である。
【図１３】光書き込み型電子ペーパの構造を説明する図である。
【図１４】複数枚の電子ペーパを用いた処理を説明する図である。
【符号の説明】
【００４６】
ＥＰ：電子ペーパ、  ２：アクセス装置、
３：情報処理装置、  ５：ドキュメント管理サーバ、
１２：表示部、  １３：処理部、
１５：無線部、  １６：メモリ、
１７：無線アクセスメモリ、  ２１：無線部、
２２：画像書込部、  ２４：モード切換部、
２５：検出部、  ２６：指定入力部、
４１：媒体搬送ロール、  ４２：液晶パネル、
４３：無線アンテナ、  ４５：光照射部、
【図１】
0004622761.tif 000002
【図２】
0004622761.tif 000003
【図３】
0004622761.tif 000004
【図４】
0004622761.tif 000005
【図５】
0004622761.tif 000006
【図６】
0004622761.tif 000007
【図７】
0004622761.tif 000008
【図８】
0004622761.tif 000009
【図９】
0004622761.tif 000010
【図１０】
0004622761.tif 000011
【図１１】
0004622761.tif 000012
【図１２】
0004622761.tif 000013
【図１３】
0004622761.tif 000014
【図１４】
0004622761.tif 000015